(57)【要約】【課題】  パーソナルコンピュータにプリンタドライバをインストールしたり、ネットワーク環境整備を行わなくても、簡単にプリントを行えるようにする。【解決手段】  データ変換装置１０のデータ形式判別部が、パーソナルコンピュータ等の情報処理装置から送出されてくるプリント対象データのページ記述言語を判別し（Ｄ２）、データ変換部が、当該判別されたページ記述言語を、予め定められたページ記述言語に変換する（Ｄ３）。これにより、パーソナルコンピュータから出力されたプリント対象データのページ記述言語にかかわらず、上記予め定められたページ記述言語に対応するプリンタ等でプリントが可能となるようにする。【選択図】      図６
2007066112.tif 000002
【特許請求の範囲】
【請求項１】
情報処理装置から送出されてくるプリント対象データのデータ形式を判別するデータ形式判別手段と、
前記データ形式判別手段によって判別された各データ形式に応じて、前記プリント対象データを、予め定められたデータ形式に変換するデータ変換手段と
を備えたデータ変換装置。
【請求項２】
前記情報処理装置及び画像形成装置側の端子に接続可能とされ、当該情報処理装置及び画像形成装置との間でデータを受け渡すインタフェイス手段を備え、
前記データ形式判別手段は、前記インタフェイス手段を介して、前記情報処理装置からプリント対象データを受け取り、
前記データ変換手段からは、前記インタフェイス手段を介して、前記変換されたデータが前記画像形成装置に出力される請求項１に記載のデータ変換装置。
【請求項３】
前記情報処理装置側の端子に接続され、当該情報処理装置との間でデータを受け渡すインタフェイス手段を備え、
前記データ形式判別手段は、前記インタフェイス手段を介して、前記情報処理装置からプリント対象データを受け取り、
前記データ変換手段からは、前記インタフェイス手段を介して、前記変換されたデータが前記情報処理装置に出力される請求項１に記載のデータ変換装置。
【請求項４】
請求項１乃至請求項３のいずれかに記載のデータ変換装置と、
前記データ変換装置が接続可能とされ、当該接続された外部機器との間でデータを受渡するためのデータ入出力手段と、前記データ入出力手段に接続されたデータ変換装置から、前記予め定められたデータ形式でプリント対象データを取得するデータ取得手段と、前記データ取得手段によって取得されたプリント対象データを印刷パラメータに変換する変換手段と、前記変換手段によって変換された印刷パラメータに基づいて画像形成を行う画像形成手段とを有する画像形成装置とを備えた画像形成システム。
【発明の詳細な説明】
【技術分野】
【０００１】
本発明は、画像形成装置でプリントを行う際のデータ変換処理に関するものである。
【背景技術】
【０００２】
従来、パーソナルコンピュータ等の情報処理装置で作成した文書データ等を、プリンタ等の画像形成装置でプリントする場合、当該プリンタに対応したプリンタドライバをパーソナルコンピュータにインストールし、このプリンタドライバを介してパーソナルコンピュータからプリンタにプリント対象データを送出しなければならない。また、パーソナルコンピュータにプリンタドライバをインストールする等の印刷準備作業は面倒であるため、特許文献１には、プリンタドライバをインストールする等の作業を削減する技術も提案されている。
【特許文献１】特開２００４−３４５７５号公報
【発明の開示】
【発明が解決しようとする課題】
【０００３】
上記のように、パーソナルコンピュータにプリンタドライバをインストールする作業は面倒であるし、また、特許文献１に記載の技術によっても、パーソナルコンピュータとプリンタがネットワーク接続されていなければ、パーソナルコンピュータからプリンタにプリント対象データを送出して印刷することはできない。さらには、新規購入したパーソナルコンピュータや、オフィス外から持ち込んだパーソナルコンピュータを用いてプリントする場合、プリンタドライバのインストールやネットワーク環境の整備をする必要があり、時間と労力を有する。
【０００４】
本発明は、上記の問題を解決するためになされたもので、パーソナルコンピュータにプリンタドライバをインストールしたり、ネットワーク環境整備を行わなくても、簡単にプリントを行えるようにすることを目的とするものである。
【課題を解決するための手段】
【０００５】
本発明の請求項１に記載の発明は、情報処理装置から送出されてくるプリント対象データのデータ形式を判別するデータ形式判別手段と、
前記データ形式判別手段によって判別された各データ形式に応じて、前記プリント対象データを、予め定められたデータ形式に変換するデータ変換手段と
を備えたデータ変換装置である。
【０００６】
この構成によれば、データ形式判別手段が、パーソナルコンピュータ等の情報処理装置から送出されてくるプリント対象データのデータ形式を判別し、データ変換手段が、当該判別されたデータ形式に応じて、上記プリント対象データを予め定められたデータ形式に変換することによって、パーソナルコンピュータから出力されたプリント対象データのデータ形式にかかわらず、上記予め定められたデータ形式に対応するプリンタ等の画像形成装置でプリントが可能となるようにしている。
【０００７】
また、請求項２に記載の発明は、請求項１に記載のデータ変換装置であって、前記情報処理装置及び画像形成装置側の端子に接続可能とされ、当該情報処理装置及び画像形成装置との間でデータを受け渡すインタフェイス手段を備え、
前記データ形式判別手段は、前記インタフェイス手段を介して、前記情報処理装置からプリント対象データを受け取り、
前記データ変換手段からは、前記インタフェイス手段を介して、前記変換されたデータが前記画像形成装置に出力されるものである。
【０００８】
この構成によれば、必要に応じて操作者が上記インタフェイス手段を、情報処理装置又は画像形成装置側の端子に接続することによって、適時に、データ形式判別手段に情報処理装置からのプリント対象データを送り込み、データ変換手段からは、上記変換されたデータを画像形成装置に出力することができる。
【０００９】
また、請求項３に記載の発明は、請求項１に記載のデータ変換装置であって、前記情報処理装置側の端子に接続され、当該情報処理装置との間でデータを受け渡すインタフェイス手段を備え、
前記データ形式判別手段は、前記インタフェイス手段を介して、前記情報処理装置からプリント対象データを受け取り、
前記データ変換手段からは、前記インタフェイス手段を介して、前記変換されたデータが前記情報処理装置に出力されるものである。
【００１０】
この構成によれば、必要に応じて操作者が上記インタフェイス手段を、情報処理装置側の端子に接続することによって、適時に、データ形式判別手段に情報処理装置からのプリント対象データを送り込み、データ変換手段からは、上記変換されたデータを当該情報処理装置に出力することができる。
【００１１】
また、請求項４に記載の発明は、請求項１乃至請求項３のいずれかに記載のデータ変換装置と、
前記データ変換装置が接続可能とされ、当該接続された外部機器との間でデータを受渡するためのデータ入出力手段と、前記データ入出力手段に接続されたデータ変換装置から、前記予め定められたデータ形式でプリント対象データを取得するデータ取得手段と、前記データ取得手段によって取得されたプリント対象データを印刷パラメータに変換する変換手段と、前記変換手段によって変換された印刷パラメータに基づいて画像形成を行う画像形成手段とを有する画像形成装置とを備えた画像形成システムである。
【発明の効果】
【００１２】
請求項１及び請求項４に記載の発明によれば、パーソナルコンピュータ等の情報処理装置から出力されたプリント対象データのデータ形式にかかわらず、予め定められたデータ形式に対応するプリンタ等の画像形成装置でプリントが可能となるので、情報処理装置にプリンタドライバをインストールしなくても、情報処理装置から送出されるプリント対象データを簡単にプリントできる。また、情報処理装置から当該データ変換装置にプリント対象データを送出し、上記予め定められたデータ形式に変換された後のデータを、画像形成装置から読み出すようにすれば、情報処理装置と画像形成装置とをネットワーク接続する等の環境を整えなくても、当該データ変換装置を介して、情報処理装置から送出されるプリント対象データを簡単にプリントできる。
【００１３】
請求項２に記載の発明によれば、必要に応じて操作者が上記インタフェイス手段を、情報処理装置又は画像形成装置側の端子に接続することによって、適時に、データ形式判別手段に情報処理装置からのプリント対象データを送り込み、データ変換手段からは、上記変換されたデータを画像形成装置に出力することができる。そのため、情報処理装置と画像形成装置とをネットワークに接続する等の環境を整えなくても、情報処理装置から送出されるプリント対象データを簡単にプリントできる。
【００１４】
請求項３に記載の発明によれば、必要に応じて、操作者が上記インタフェイス手段を、情報処理装置側の端子に接続することによって、適時に、データ形式判別手段に情報処理装置からのプリント対象データを送り込み、データ変換手段からは、上記変換後のデータを当該情報処理装置に出力することができる。そのため、当該データ変換装置から送り返されてきた上記変換後のデータを、情報処理装置から、ネットワーク接続されている画像形成装置に送出してプリントすることができる。従って、情報処理装置と画像形成装置とがネットワーク接続されているか否かに拘わらず、また、情報処理装置にプリンタドライバをインストールしなくても、情報処理装置から送出されるプリント対象データを簡単にプリントできる。
【発明を実施するための最良の形態】
【００１５】
以下、本発明の一実施形態に係るデータ変換装置及び画像形成システムについて図面を参照して説明する。図１は本発明に係る画像形成システムとパーソナルコンピュータの外観を外観を示す図である。本発明に係る画像形成システム１は、複合機１１とデータ変換装置１０とを備えている。
【００１６】
データ変換装置１０は、USB（Universal Serial Bus）端子１０１を有し、このUSB（Universal Serial Bus）端子１０１を介して、パーソナルコンピュータ（以下、ＰＣ）２及び複合機１１との間でデータを受け渡可能となっている。データ変換装置１０は、ＰＣ２からUSB端子１０１を介して送出されてきたプリント対象データを、複合機１１に対応するページ記述言語（Page Description Language）に変換する。
【００１７】
複合機１１は、コピー機能、プリンタ機能、ファクス機能、スキャナ機能等の複合機能を備えた画像形成装置であり、データ変換装置１０との間でデータの受け渡しが可能となるようにUSB端子を備える。なお、複合機１１は、画像形成装置の一例に過ぎず、画像形成装置を複合機１１に限定する趣旨ではない。
【００１８】
ＰＣ２は、アプリケーション及びプリンタドライバを備え、アプリケーションで作成されたデータを、プリンタドライバによって、当該プリンタドライバに対応するプリンタでプリント可能なデータ形式のページ記述言語に変換できるようになっている。また、ＰＣ２は、USB端子を備え、このUSB端子に接続されたデータ変換装置１０に、上記ページ記述言語で作成されたプリント対象データを送出できるようになっている。
【００１９】
図２は、ＰＣ２の概略構成を示すブロック図である。ＰＣ２は、装置全体の動作制御を司るＣＰＵ２１を備え、このＣＰＵ２１には、内部バスによって入力装置２２，ＲＯＭ２３，ＲＡＭ２４，ＨＤＤ２５，ディスプレイ２６、記録媒体読取装置２７、ネットワークインタフェイス部２８及びUSB端子２９が接続されている。これら各部はＣＰＵ２１の制御の下、内部バスを介して各種データが各部間で入出力され、各種処理が実行される。
【００２０】
入力装置２２はキーボードやマウス等から構成され、ユーザによって操作指示等が入力される。ＲＯＭ２３には、装置全体の動作制御用のシステムプログラム等が記憶されている。ＨＤＤ（ハードディスクドライブ）２５は、アプリケーションやプリンタドライバがイントールされる記憶装置である。このアプリケーションを用いて作成されたデータが、プリンタドライバによって、当該プリンタドライバに対応するプリンタでプリント可能なデータ形式のページ記述言語に変換される。また、ＲＡＭ２４は、ＣＰＵ２１の作業領域として用いられる。ディスプレイ２６はＣＲＴ又は液晶表示装置等からなり、ＣＰＵ２１による制御で各種画面を表示する。記録媒体読取装置２７は、記録媒体３０に記録されている各種データを読み取るものである。
【００２１】
ネットワークインタフェイス部２８は、イントラネット又はＬＡＮ（Local Area Network）を介して複合機１１等との間でデータの受け渡しを行うインタフェイス部である。USB端子２９は、データ変換装置１０等のUSB端子を備える外部機器との間でデータを受け渡し可能とするために設けられている。
【００２２】
図３は、複合機１１の外観構成を示す斜視図である。図３に示す複合機１１は、複数枚の原稿を画像読取部に向けて給送する自動原稿送り装置１１１と、操作者から各種の操作指示が入力される操作部１１２と、記録紙が収納されている給紙カセット１１３等が設けられている。さらに、複合機１１の側面部には、データ変換装置１０等のUSB端子を備える外部機器との間でデータを受け渡し可能とするためのUSB端子（データ入出力手段）１１４が設けられている。
【００２３】
図４は、複合機１１の構成概略を示すブロック図である。複合機１１は、装置の各部の動作を制御する制御部１１５と、原稿画像を読み取るスキャナ等を有する画像読取部１１６と、画像読取部１１６によって読み取られた原稿画像のデータや、画像読取部１１６によって読み取られた画像データ等を一時的に記憶する画像メモリ１１７と、画像読取部１１６によって読み取られた原稿画像のデータ等に基づいて記録紙上に画像形成を行う記録部（画像形成手段）１１８とを有する。
【００２４】
また、複合機１１は、ファクシミリ通信に必要な諸機能を実行し、公衆回線を通じて外部のファクシミリ装置から画像データを受信するファクシミリ通信部１１９と、操作者からの各種操作指示（印刷枚数や、バックアップの対象とする印刷データを特定する指示等）を受け付ける送信スタートキー、テンキー及び短縮番号キー等からなる操作部１１２と、操作者への操作案内等を表示するＬＣＤ（Liquid Crystal Display）等からなる表示部１２０と、大容量のデータ記憶容量を有するＨＤＤ１２１とを備える。さらに、複合機１１は、データ変換装置１０等の外部機器との間でデータを受渡するためのデータ入出力手段として機能するUSB端子１１４を備えている。なお、ネットワークインタフェイス部１２２は、イントラネット又はＬＡＮ（Local Area Network）を介してＰＣ２等との間でデータの受け渡しを行うためのインタフェイスである。
【００２５】
制御部１１５は、その一部が、データ取得部１１５１と、変換部１１５２として機能する。データ取得部（データ取得手段）１１５１は、USB端子１１４に接続されたデータ変換装置１０から、予め定められた形式のページ記述言語でプリント対象データを取得する。変換部（変換手段）１１５２は、データ取得部１１５１によってデータ変換装置１０から取得されたプリント対象データを、当該複合機１１でプリント可能な印刷パラメータ（用紙サイズ、印刷位置指定、印刷倍率、開始ページ指定、終了ページ指定、印刷部数、印刷仕様等）に変換するものである。記録部１１８は、変換部１１５２よって変換された印刷パラメータに基づいて画像形成を行う。
【００２６】
図５はデータ変換装置１０の構成概略を示すブロック図である。データ変換装置１０は、USB端子１０１と、データ形式判別部１０２と、データ変換部１０３とを備えている。USB端子（インタフェイス手段）１０１は、ＰＣ２のUSB端子２９及び複合機１１のUSB端子１１４に接続可能であり、当該ＰＣ２及び複合機１１との間でデータを受け渡すものである。
【００２７】
データ形式判別部（データ形式判別手段）１０２は、USB端子１０１を介してＰＣ２から送出されてくるプリント対象データを解析して、使用されているページ記述言語を判別する。データ形式判別部１０２は、例えば、ページ記述言語であるPostScript、PCL、LIPS、ESC/Page、PRESCRIBE等のそれぞれの言語の有する独自の規則性に基づいて、ＰＣ２から送出されてくるプリント対象データで使用されているページ記述言語のデータ形式を判別する。
【００２８】
データ変換部（データ変換手段）１０３は、データ形式判別部１０２によって判別された各データ形式に応じて、上記プリント対象データを、予め定められたページ記述言語に変換する。例えば、データ変換部１０３は、本発明に係る画像形成システムの複合機１１が、ページ記述言語としてPCLを採用しているとすると、データ形式判別部１０２によって判別されたデータ形式からなるページ記述言語（PostScript、LIPS、ESC/Page、PRESCRIBE等）を、複合機１１で採用しているPCLに翻訳する。
【００２９】
また、上記例において、データ変換部１０３は、ＰＣ２から送出されてくるプリント対象データのページ記述言語がPCLである場合には、そのままのデータ形式で複合機１１でのプリントが可能な場合には、当該プリント対象データを翻訳せずにそのままのデータ形式としておいたり、複合機１１でプリント不可能な形式の場合には、複合機１１でプリントが可能となるように、プリント対象データに必要な情報を付加する等の処理を行うようにしてもよい。
【００３０】
すなわち、データ変換部１０３は、ＰＣ２から送出されてきたプリント対象データが、複合機１１に対応していないページ記述言語である場合には、複合機１１に対応するページ記述言語に変換し、ＰＣ２から送出されてきたプリント対象データが、複合機１１に対応しているページ記述言語である場合には、必要に応じて適切な処理を行って、ＰＣ２から送出されてきたプリント対象データを、複合機１１でプリント可能なデータ形式とする。
【００３１】
データ変換装置１０のUSB端子１０１が、複合機１１のUSB端子１１４に接続されると、複合機１１のデータ取得部１１５１が当該データ変換装置１０の接続を検知して、データ変換装置１０のデータ変換部１０３から上記変換後データを読み出すようになっている。
【００３２】
次に、画像形成システム１により、ＰＣ２から送出されるプリント対象データをプリントする処理の第１実施形態について説明する。図６は、ＰＣ２から送出されるプリント対象データを画像形成システム１でプリントする際に行われる処理の第１実施形態を示すフローチャート、図７は、画像形成システム１によりプリントを行う際にＰＣ２で表示される画面表示例（ユーザグラフィックインタフェイス）を示す図である。
【００３３】
ＰＣ２のワードプロセッサ、表計算等のアプリケーションで、プリントしたいデータが作成され（Ｐ１）、操作者によって、ＰＣ２にインストールされているプリンタドライバが起動されると（Ｐ２）、例えば、図７に示す画面（ユーザグラフィックインタフェイス）がＰＣ２のディスプレイ２６に表示される。このプリンタドライバは、ＰＣ２からのプリントアウト用と用意されているプリンタに対応した、既にＰＣ２にインストールされているプリンタドライバで構わない。なお、操作者は、この時点までに、ＰＣ２のUSB端子２９にデータ変換装置１０のUSB端子１０１を接続しておく。
【００３４】
上記画面の表示中に、操作者が、(1)「プリンタ名」の欄で、インストールされているプリンタドライバに対応する操作者所望のプリンタを指定し、(2)操作者が表示画面の「ファイルへ出力」の項目にマウスポインタ等でチェックを入れて、ドキュメントを印刷せずにファイルに出力するように設定し、さらに、(3)ファイルの出力先をデータ変換装置１０に設定する。このように設定された後、表示画面の「ＯＫ」ボタンをマウスポインタ等で押下すると、当該プリンタドライバにより、上記アプリケーションで作成されたデータがページ記述言語に変換され（Ｐ３）、ＰＣ２のUSB端子２９及びデータ変換装置１０のUSB端子１０１を介して、当該ページ記述言語がデータ変換装置１０に書き込まれる（Ｐ４）。
【００３５】
データ変換装置１０では、上記ページ記述言語からなるプリント対象データがＰＣ２から送出されてくると、当該ページ記述言語からなるプリント対象データは、データ形式判別部１０２に記憶される（Ｄ１）。データ形式判別部１０２は、ページ記述言語であるPostScript、PCL、LIPS、ESC/Page、PRESCRIBE等のそれぞれの言語の有する独自の規則性に基づいて、当該プリント対象データで使用されているページ記述言語のデータ形式を判別する（Ｄ２）。
【００３６】
データ形式判別部１０２によって、上記プリント対象データで使用されているページ記述言語が判別されると、当該判別された各データ形式に応じて、データ変換部１０３が上記プリント対象データを、複合機１１で採用しているデータ形式（ページ記述言語）に変換する（Ｄ３）。当該変換後のデータは、データ変換部１０３が記憶しておく（Ｄ４）。
【００３７】
そして、操作者が、データ変換装置１０のUSB端子１０１を、ＰＣ２のUSB端子２９から抜き取り、複合機１１のUSB端子１１４に接続すると、複合機１１のデータ取得部１１５１が、USB端子１１４にデータ変換装置１０５が接続されたことを検出し、上記変換後のデータを、データ変換装置１０のデータ変換部１０３から読み出す（Ｆ１）。データ取得部１１５１によってデータ変換装置１０から取得された上記変換後のデータは、変換部１１５２によって、当該複合機１１でプリント可能な印刷パラメータ（用紙サイズ、印刷位置指定、印刷倍率、開始ページ指定、終了ページ指定、印刷部数、印刷仕様等）に変換される（Ｆ２）。そして、記録部１１８が、変換部１１５２によって変換された印刷パラメータに基づいて画像形成を行う（Ｆ３）。
【００３８】
以上のような処理を行うことによって、複合機１１に対応するプリンタドライバがＰＣ２にインストールされていない場合や、ＰＣ２と複合機１１とがネットワーク接続されていない場合であっても、パーソナルコンピュータから送出されるプリント対象データを、簡単に複合機１１でプリントすることが可能となる。
【００３９】
次に、画像形成システム１により、ＰＣ２から送出されるプリント対象データをプリントする処理の第２実施形態について説明する。図８は、ＰＣ２から送出されるプリント対象データを画像形成システム１でプリントする際に行われる処理の第２実施形態を示すフローチャートである。なお、図６に示した第１実施形態と同様の処理は、同符号を付して説明を省略する。
【００４０】
第１実施形態では、データ変換装置１０において、ＰＣ２から送出されてきたプリント対象データを、複合機１１で採用しているデータ形式（ページ記述言語）に変換した後（Ｄ４）、操作者が、データ変換装置１０のUSB端子１０１を複合機１１のUSB端子１１４に接続し、複合機１１がデータ変換装置１０から上記変換後データを読み出していたが、第２実施形態では、上記変換後データを、データ変換装置１０からＰＣ２を介して複合機１１に送出する。
【００４１】
第２実施形態では、ＰＣ２のプリンタドライバにより、上記アプリケーションで作成されたデータがページ記述言語に変換され（Ｐ３）、更に当該ページ記述言語がデータ変換装置１０に書き込まれた後（Ｐ４）、及び、データ変換装置１０において、当該プリント対象データが、複合機１１で採用しているページ記述言語に変換された後も（Ｄ４）、データ変換装置１０のUSB端子１０１を、ＰＣ２のUSB端子２９に接続したままとしておく。
【００４２】
そして、操作者によってＰＣ２の入力装置２２から入力される操作指示に基づいて、ＰＣ２の制御部（例えば、ＣＰＵ２１が当該制御部として機能）が、データ変換装置１０のデータ変換部１０３から上記変換後データを読み出して（Ｐ５）、操作者によって指定されたプリンタに、当該読み出した変換後データを送信する（Ｐ６）。
【００４３】
複合機１１では、データ取得部１１５１が、上記変換後のデータを、ＰＣ２から受信すると（Ｆ１１）、当該受信された変換後データが変換部１１５２によって、当該複合機１１でプリント可能な印刷パラメータに変換され（Ｆ２）、記録部１１８が、変換部１１５２によって変換された印刷パラメータに基づいて画像形成を行う（Ｆ３）。
【００４４】
この第２実施形態に係る処理では、複合機１１に対応するプリンタドライバがＰＣ２にインストールされていない場合であっても、パーソナルコンピュータから送出されるプリント対象データを、簡単に複合機１１でプリントすることが可能である。また、操作者は、データ変換装置１０のUSB端子１０１を複合機１１のUSB端子１１４に接続しなくても、プリントが可能なので、複合機１１がＰＣ２から離れた場所に設置されている場合に使い勝手がよくなる。
【００４５】
なお、本発明は上記実施の形態の構成に限られず種々の変形が可能である。例えば、上記実施形態では、ＰＣ２からデータ変換装置１０に送出されてくるプリント対象データがページ記述言語の場合を例にして説明しているが、ＰＣ２から送出されてくるプリント対象データが、ページ記述言語ではなくラスタ言語で、データ形式判別部１０２によって判別されるデータ形式がラスタ言語であると判別された場合には、データ変換部１０３が、当該ラスタ言語に、複合機１１でプリント可能となる処理を施すようにし、ラスタ言語のデータがデータ変換装置１０から複合機１１に向けて送出されるようにしてもよい。
【００４６】
また、上記図１乃至図８に示した構成及び処理は、本発明の単なる一実施形態に過ぎず、本発明の構成及び処理をこれらに限定するものではない。
【図面の簡単な説明】
【００４７】
【図１】本発明に係る画像形成システムとパーソナルコンピュータの外観を外観を示す図である。
【図２】パーソナルコンピュータの概略構成を示すブロック図である。
【図３】複合機の外観構成を示す斜視図である。
【図４】複合機の構成概略を示すブロック図である。
【図５】データ変換装置の構成概略を示すブロック図である。
【図６】パーソナルコンピュータから送出されるプリント対象データを画像形成システムでプリントする際に行われる処理の第１実施形態を示すフローチャートである。
【図７】画像形成システムによりプリントを行う際にパーソナルコンピュータで表示される画面表示例（ユーザグラフィックインタフェイス）を示す図である。
【図８】パーソナルコンピュータから送出されるプリント対象データを画像形成システムでプリントする際に行われる処理の第２実施形態を示すフローチャートである。
【符号の説明】
【００４８】
１        画像形成システム
２        パーソナルコンピュータ
２９      USB端子
１０      データ変換装置
１０１    USB端子
１０２    データ形式判別部
１０３    データ変換部
１１      複合機
１１４    USB端子
１１５    制御部
１１５１  データ取得部
１１５２  変換部
１１８    記録部
【図１】
2007066112.tif 000003
【図２】
2007066112.tif 000004
【図３】
2007066112.tif 000005
【図４】
2007066112.tif 000006
【図５】
2007066112.tif 000007
【図６】
2007066112.tif 000008
【図７】
2007066112.tif 000009
【図８】
2007066112.tif 000010